(57)【要約】【解決手段】側壁４ａから外側に延在する天部ｈ２ａと該天部の先端から下部デッキ２まで延在する垂直部ｈ２ｂと側部ｈ２ｃとにより形成されている端部枠ｈ２が、所定の間隔をおいて配置された弾性変形可能なカード部材Ｃを保持するカード保持部材Ｈ１、Ｈ２が、桁４に配設されている合成樹脂製パレットに関するものである。【効果】側壁から外側に延在する天部と該天部の先端から下部デッキまで延在する垂直部と側部とにより形成されている端部枠が、所定の間隔をおいて配置されたカード保持部材を、桁に配設したので、カード保持部材の構造が簡素化され、従って、カード保持部材に埃や塵等が溜まり難く、その洗浄性が向上するとともに、金型構造も簡素化されるので、金型コストが低減化できる。【選択図】図２
2004175420.tif 000002
【特許請求の範囲】
【請求項１】
側壁から外側に延在する天部と該天部の先端から下部デッキまで延在する垂直部と側部とにより形成されている端部枠が、所定の間隔をおいて配置された弾性変形可能なカード部材を保持するカード保持部材が、桁に配設されていることを特徴とする合成樹脂製パレット。
【請求項２】
側壁から外側に延在する天部と該天部の先端から下部デッキまで延在する垂直部とにより形成された張出片が、一対の端部枠間に、１個以上配設されていることを特徴とする請求項１に記載の合成樹脂製パレット。
【請求項３】
カード保持部材を構成する端部枠及び張出片が、桁の側壁を面変化させることにより、桁の側壁の肉厚と同じ肉厚で形成されていることを特徴とする請求項１又は請求項２に記載の合成樹脂製パレット。
【発明の詳細な説明】
【０００１】
【発明の属する技術分野】
本発明は、合成樹脂製パレット、特に、合成樹脂製パレットの所有者や載置される荷物の物品名や数量や搬送先等の種々の情報が記憶可能なシート状或いは薄板状のＩＣカード等を取り付けることができる合成樹脂製パレットに関するものである。
【０００２】
【従来の技術】
従来、ＩＤタグホルダーの上端に形成された水平状の突出片を、合成樹脂製パレットのデッキ部に形成された通孔に差し込むことにより、ＩＤタグホルダーが取り付けられるように構成された合成樹脂製パレット（特開平９−２５４９８３号公報）や、底部にカード載置部を有するとともに、上方に開口部を有するスリットが形成されたカード保持部が配設された、上下のパレット半体を溶着するタイプの合成樹脂製パレット（特許第２８４７０５５号公報）や、下パレットのフランジ部に、略Ｕ字状のカード支持縁部を形成した、上下のパレット半体を溶着するタイプの合成樹脂製パレット（特許第２８８６８１９号公報）や、桁の側面に形成された凹部と、凹部の上下方向に形成された上下凸部に、それぞれ、カード差し込み用のスリットが形成された、上下のパレット半体を溶着するタイプの合成樹脂製パレット（実公平６−２９０７号公報）等の種々の合成樹脂製パレットが知られている。
【０００３】
【発明が解決しようとする課題】
上述した合成樹脂製パレットに形成されたカード保持部は、その構造が複雑であり、従って、金型等の費用が増加するとともに、埃や塵等が溜まり易く、また、その洗浄性も悪いという問題があった。
【０００４】
また、カード保持部を構成する部分が厚肉に形成されているために、射出成形された合成樹脂製パレットの冷却過程において、ひけや変形が発生し、外観の見た目が悪くなるとともに、合成樹脂製パレットの重量が増大するという問題があった。
【０００５】
本発明の目的は、上述した従来の合成樹脂製パレットが有する課題を解決することにある。
【０００６】
【課題を解決するための手段】
本発明は、上述した目的を達成するために、第１には、側壁から外側に延在する天部と該天部の先端から下部デッキまで延在する垂直部と側部とにより形成されている端部枠が、所定の間隔をおいて配置されたカード保持部材を、桁に配設したものであり、第２には、側壁から外側に延在する天部と該天部の先端から下部デッキまで延在する垂直部とにより形成された張出片を、一対の端部枠間に、１個以上配設したものであり、第３には、カード保持部材を構成する端部枠及び張出片を、桁の側壁を面変化させることにより、桁の側壁の肉厚と同じ肉厚で形成したものである。
【０００７】
【実施例】
以下に、本発明の実施例について説明するが、本発明の趣旨を越えない限り何ら、本実施例に限定されるものではない。
【０００８】
合成樹脂製パレットは、上部デッキ１と下部デッキ２とを有するとともに、上部デッキ１と下部デッキ２とは、その角部を連結する略角筒状の隅桁３と、該隅桁３の中間部を連結する略角筒状の中間桁４と、上部デッキ１及び下部デッキ２の中央部を連結する略角筒状の中央桁５とにより連結されている。また、隅桁３と中間桁４との間及び中間桁４と中央桁５との間には、フォークが挿入可能なフォーク挿入空間部６が形成されている。更に、上部デッキ１と下部デッキ２の周縁部には、隅桁３の外側壁（フォーク挿入空間部６に面していない側壁）３ａ及び中間桁４の外側壁（フォーク挿入空間部６に面していない側壁）４ａより、外側水平方向に突出している張出周縁部１ａ、２ａが形成されている。
【０００９】
次いで、隅桁３或いは／及び中間桁４に形成されたカード保持部材Ｈ１について説明するが、以下においては、カード保持部材Ｈ１が、中間桁４に形成されている例を用いて、本発明の実施例について説明する。
【００１０】
ｈ１は、中間桁４の外側壁４ａを、中間桁４の内側から外側に向かって膨出させることにより形成された、上下方向に延在する張出片であり、張出片ｈ１は、所定の間隔を置いて、１個或いは２個以上並設されている。なお、本実施例には、２個の張出片ｈ１が形成されている例が示されている。張出片ｈ１は、外側壁４ａから外側に延在する天部ｈ１ａ及び天部ｈ１ａの先端から、外側壁４ａに平行に、下部デッキ２の張出周縁部２ａまで延在する垂直部ｈ１ｂとから構成されている。４ｂは、外側壁４ａに形成された、張出片ｈ１を成形するための金型が挿入された方形状の凹部であり、凹部４ｂを、外側壁４ａの外面４ａ１を越えて、外側に膨出して形成することにより、張出片ｈ１の垂直部ｈ１ｂの内面ｈ１ｂ’と、外側壁４ａの外面４ａ１との間には、後述するＩＣカード部材が挿通可能な間隙Ｄ１が形成されている。
【００１１】
また、ｈ２は、上述した張出片ｈ１を挟んで位置する中間桁４の外側壁４ａを、中間桁４の内側から外側に向かって膨出させることにより形成された端部枠であり、端部枠ｈ２は、外側壁４ａから外側に延在する天部ｈ２ａと．天部ｈ２ａの先端から、外側壁４ａに平行に、下部デッキ２の張出周縁部２ａまで延在する垂直部ｈ２ｂと、天部ｈ２ａと垂直部ｈ２ｂと外側壁４ａとにより囲まれた空間部のうち、張出片ｈ１に対して反対側に位置する空間部、換言すれば、中間桁４の角部４’側に位置する空間部を閉鎖する側部ｈ２ｃとにより形成されている。４ｃは、外側壁４ａに形成された、端部枠ｈ２を成形するための金型が挿入された方形状の凹部であり、凹部４ｃも、上述した張出片ｈ１を成形するための金型が挿入された方形状の凹部４ｂと同様に、外側壁４ａの外面４ａ１を越えて、外側に膨出している。
【００１２】
上述したカード保持部材Ｈ１は、中間桁４の外側壁４ａに形成された複数の張出片ｈ１（本実施例においては、２個）と、張出片ｈ１の両側に並設された２個の端部枠ｈ２により構成されており、張出片ｈ１と端部枠ｈ２とは、中間桁４の外側壁４ａを面変化させることにより、中間桁４と一体成形されている。また、張出片ｈ１の高さと端部枠ｈ２の高さは、略同じに形成されている。
【００１３】
４ｄは、張出片ｈ１を成形するための金型が挿入された凹部４ｂの間に位置する中間桁４の外側壁４ａの内面４ａ２に突設された垂直補強リブであり、このような垂直補強リブ４ｄを形成することにより、張出片ｈ１を成形するための金型が挿入された凹部４ｂや端部枠ｈ２を成形するための金型が挿入された凹部４ｃが形成された中間桁４の外側壁４ａを補強することができる。このような垂直補強リブ４ｄは、１本或いは複数本形成することができる。
【００１４】
Ｃは．ＩＣカード部材であり、ＩＣカード部材Ｃは、弾性変形可能なＩＣカードｃ１と、ＩＣカードｃ１が貼着された、同じく弾性変形可能な合成樹脂製の台座板ｃ２とから構成されている。ＩＣカード部材Ｃの台座板ｃ２の横幅ｗ１は、カード保持部材Ｈ１を構成する一対の端部枠ｈ２の側部ｈ２ｃの間隔と、略同じに形成されており、また、ＩＣカード部材Ｃの台座板ｃ２の高さｗ２は、張出片ｈ１及び端部枠ｈ２の高さと、略同じ高さに形成されている。なお、台座板ｃ２を省略し、ＩＣカードｃ１のみにより、ＩＣカード部材Ｃを構成することもできる。
【００１５】
上述したように、カード保持部材Ｈ１を構成する張出片ｈ１の垂直部ｈ１ｂの内面ｈ１ｂ’と、中間桁４の外側壁４ａの外面４ａ１との間には、ＩＣカード部材Ｃが挿通可能な間隙Ｄ１が形成されており、同様に、中間桁４の外側壁４ａと上述した端部枠ｈ２の垂直部ｈ２ｂとの間にも、ＩＣカード部材Ｃが挿通可能な間隙が形成されている。
【００１６】
ＩＣカード部材Ｃの一方の垂直縁部ｃ３を、一方の張出片ｈ１の垂直部ｈ１ｂと中間桁４の外側壁４ａとの間に形成された間隙に挿通し、次いで、ＩＣカード部材Ｃの一方の垂直縁部ｃ３を、も一方の張出片ｈ１の垂直部ｈ１ｂと中間桁４の外側壁４ａとの間に形成された間隙に挿通し、更に、ＩＣカード部材Ｃの一方の垂直縁部ｃ３を、一方の端部枠ｈ２の垂直部ｈ２ｂと中間桁４の外側壁４ａとの間に形成された間隙に挿入する。次いで、一対の張出片ｈ１の間に位置するＩＣカード部材Ｃを、前方に張り出すように湾曲させて、もう一方の端部枠ｈ２の垂直部ｈ２ｂに載置されているＩＣカード部材Ｃのもう一方の垂直縁部ｃ３を、端部枠ｈ２の垂直部ｈ２ｂから中間桁４の外側壁４ａの外面４ａ２上に落として、ＩＣカード部材Ｃのもう一方の垂直縁部ｃ３を、もう一方の端部枠ｈ２の垂直部ｈ２ｂと中間桁４の外側壁４ａとの間に形成された間隙に対峙させ、その後、ＩＣカード部材Ｃから手を離すと、ＩＣカード部材Ｃ自体、換言すれば、台座板ｃ２自体の弾性力により、湾曲状態のＩＣカード部材Ｃが平坦になり、ＩＣカード部材Ｃのもう一方の垂直縁部ｃ３が、もう一方の端部枠ｈ２の垂直部ｈ２ｂと中間桁４の外側壁４ａとの間に形成された間隙に挿入されることになる。このようにして、ＩＣカード部材Ｃの両垂直縁部ｃ３を、端部枠ｈ２により保持するとともに、ＩＣカード部材Ｃの垂直縁部ｃ３付近を、張出片ｈ１により保持することにより、ＩＣカード部材Ｃを、中間桁４の外側壁４ａに、中間桁４と一体成形されたカード保持部材Ｈ１により保持する。
【００１７】
なお、上述した実施例においては、カード保持部材Ｈ１を構成する端部枠ｈ２の垂直部ｈ２ｂと、中間桁４の外側壁４ａとの間には、ＩＣカード部材Ｃの垂直縁部ｃ３が挿入可能な間隙が形成されているが、端部枠ｈ２に、ＩＣカード部材Ｃの垂直縁部ｃ３が挿入可能な間隙を形成することなく、端部枠ｈ２を、無垢な縦長のリブとして形成することもできる。このように、端部枠ｈ２を、無垢な縦長のリブとして形成した場合には、上述した端部枠ｈ２を成形するための金型が挿入された方形状の凹部４ｃは省略されることになる。いずれにせよ、端部枠ｈ２の基本的な機能は、カード保持部材Ｈ１に保持されているＩＣカード部材Ｃが水平方向に移動しようとした際に、ＩＣカード部材Ｃの垂直縁部ｃ３が、端部枠ｈ２に当接し、ＩＣカード部材Ｃのそれ以上の水平移動を阻止して、ＩＣカード部材Ｃが、カード保持部材Ｈ１から外れることを防止することである。そして、ＩＣカード部材Ｃの垂直縁部ｃ３が、端部枠ｈ２の垂直部ｈ２ｂと中間桁４の外側壁４ａとの間に形成された間隙に挿入されている場合には、より確実に、ＩＣカード部材Ｃが、カード保持部材Ｈ１から外れることを防止することができるものである。
【００１８】
図７に示されている実施例は、上述した張出片ｈ１と端部枠ｈ２とから構成されているカード保持部材Ｈ１において、張出片ｈ１を省略したものであり、従って、この実施例においては、カード保持部材Ｈ２は、所定の間隔をおいて形成された一対の端部枠ｈ２のみから構成されている。そして、ＩＣカード部材Ｃの両垂直縁部ｃ３を、端部枠ｈ２の垂直部ｈ２ｂと中間桁４の外側壁４ａとの間に形成された間隙に挿入することにより、ＩＣカード部材Ｃを、中間桁４の外側壁４ａに、中間桁４と一体成形されたカード保持部材Ｈ２により保持するように構成されている。ＩＣカード部材Ｃの台座板ｃ２の横幅ｗ１が広くない場合には、ＩＣカード部材Ｃの両垂直縁部ｃ３のみを、端部枠ｈ２により保持するだけで、ＩＣカード部材Ｃが、カード保持部材Ｈ２から外れるようなことがない。また、ＩＣカード部材Ｃの台座板ｃ２の横幅ｗ１が広い場合には、ＩＣカード部材Ｃの両垂直縁部ｃ３のみを、端部枠ｈ２により保持するだけでは、ＩＣカード部材Ｃが、カード保持部材Ｈ２から外れ易いので、上述したカード保持部材Ｈ１のように、一対の端部枠ｈ２の間に、１個或いは２個以上の張出片ｈ１を形成することになる。
【００１９】
なお、上述したカード保持部材Ｈ１、Ｈ２を構成する張出片ｈ１や端部枠ｈ２は、上部デッキ１の張出周縁部１ａ及び下部デッキ２の張出周縁部２ａの先端を越えて、外側に飛び出ないように構成されていることが好ましい。このように構成することにより、合成樹脂製パレットが、他の合成樹脂製パレットや外部障害物等に衝突した際のカード保持部材Ｈ１、Ｈ２やカード保持部材Ｈ１、Ｈ２に保持されているＩＣカード部材Ｃの損傷を防止することができる。
【００２０】
上述した実施例においては、カード保持部材Ｈ１、Ｈ２を、中間桁４と一体成形した例が示されているが、当然のことながら、隅桁３と一体成形することもできる。
【００２１】
上述したように、中間桁４の外側壁４ａから外側に延在する天部ｈ２ａと．天部ｈ１ａの先端から、外側壁４ａに平行に、下部デッキ２の張出周縁部２ａまで延在する垂直部ｈ２ｂと、天部ｈ１ａと垂直部ｈ２ｂと外側壁４ａとにより囲まれた空間部のうち、中間桁４の角部側に位置する空間部を閉鎖する側部ｈ２ｃとにより形成されている端部枠ｈ２を、中間桁４と一体に成形し、少なくとも、一対の端部枠ｈ２により、カード保持部材Ｈ１、Ｈ２を構成したので、カード保持部材Ｈ１、Ｈ２の構造が簡素化され、従って、カード保持部材Ｈ１、Ｈ２に埃や塵等が溜まり難く、その洗浄性が向上するとともに、金型構造も簡素化されるので、金型コストが低減化できる。
【００２２】
また、一対の端部枠ｈ２の間に、中間桁４の外側壁４ａから外側に延在する天部ｈ１ａ及び天部ｈ１ａの先端から、外側壁４ａに平行に、下部デッキ２の張出周縁部２ａまで延在する垂直部ｈ１ｂとから形成された張出片ｈ１を、１個以上形成することにより、カード保持部材Ｈ１、Ｈ２から、ＩＣカード部材Ｃが外れるようなことを確実に防止することができる。
【００２３】
更に、カード保持部材Ｈ１、Ｈ２を構成する一対の端部枠ｈ２や張出片ｈ１を、中間桁４の外側壁４ａを面変化させることにより、中間桁４の外側壁４ａの肉厚と同じ肉厚で形成したので、カード保持部材Ｈ１、Ｈ２に肉厚部が存在せず、従って、合成樹脂製パレットの重量の増加を抑えることができるとともに、合成樹脂製パレットを、射出成形等により一体成形した際に発生するひけや変形を防止することができる。
【００２４】
なお、上述した実施例においては、カード保持部材Ｈ１、Ｈ２に保持されるものとして、ＩＣカード部材Ｃが示されているが、ＩＣカード部材Ｃに限定されることなく、種々の情報が記載された弾性変形可能なカード部材や、バーコードが表示された弾性変形可能なカード部材を、カード保持部材Ｈ１、Ｈ２に保持することもできる。
【００２５】
上述した実施例には、中間桁４の外側壁４ａを、中間桁４の内側から外側に向かって膨出させることにより、張出片ｈ１や端部枠ｈ２を形成した例が示されているが、図８に示されているように、中間桁４の外側壁４ａを、中間桁４の外側から内側に向かって膨出させることにより、外側壁４ａの内面４ａ２から膨出した状態の張出片ｈ１や端部枠ｈ２を形成することもできる。このように、外側壁４ａの内面４ａ２から膨出した張出片ｈ１や端部枠ｈ２により構成されるカード保持部材Ｈ３へのＩＣカード部材Ｃの保持は、ＩＣカード部材Ｃのカード保持部材Ｈ３への取り付けが、底部が開放され底無しの中間桁４の内側から行われる以外は、上述した実施例と同じであるので、その説明は省略する。
【００２６】
【発明の効果】
本発明は、以上説明した構成を有しているので、以下に記載する効果を奏するものである。
【００２７】
側壁から外側に延在する天部と該天部の先端から下部デッキまで延在する垂直部と側部とにより形成されている端部枠が、所定の間隔をおいて配置されたカード保持部材を、桁に配設したので、カード保持部材の構造が簡素化され、従って、カード保持部材に埃や塵等が溜まり難く、その洗浄性が向上するとともに、金型構造も簡素化されるので、金型コストが低減化できる。
【００２８】
側壁から外側に延在する天部と該天部の先端から下部デッキまで延在する垂直部とにより形成された張出片を、一対の端部枠間に、１個以上配設したので、カード保持部材から、カード部材が外れるようなことを確実に防止することができる。
【００２９】
カード保持部材を構成する端部枠及び張出片を、桁の側壁を面変化させることにより、桁の側壁の肉厚と同じ肉厚に形成したので、合成樹脂製パレットの重量の増加を抑えることができるとともに、合成樹脂製パレットを、射出成形等により一体成形した際に発生するひけや変形を防止することができる。
【図面の簡単な説明】
【図１】図１は本発明の合成樹脂製パレットの全体斜視図である。
【図２】図２は本発明の合成樹脂製パレットの中間桁に形成されたカード保持部材及びＩＣカード部材の斜視図である。
【図３】図３は本発明の合成樹脂製パレットの中間桁付近の部分拡大斜視図である。
【図４】図４は本発明の合成樹脂製パレットの中間桁付近の桁内からの部分斜視図である。
【図５】図５は図３に示されているカード保持部材を構成する張出片間の垂直側断面図である。
【図６】図６は本発明の合成樹脂製パレットのＩＣカード部材が配設された中間桁付近の部分斜視図である。
【図７】図７は本発明の合成樹脂製パレットの別の実施例の中間桁付近の部分斜視図である。
【図８】図８は本発明の合成樹脂製パレットの更に別の実施例の中間桁付近の部分斜視図である。
【符号の説明】
Ｃ・・・・・・・・・・・ＩＣカード部材
ｃ１・・・・・・・・・・ＩＣカード
ｃ２・・・・・・・・・・台座板
Ｈ１、Ｈ２、Ｈ３・・・・カード保持部材
１・・・・・・・・・・・上部デッキ
１ａ・・・・・・・・・・張出周縁部
２・・・・・・・・・・・下部デッキ
２ａ・・・・・・・・・・張出周縁部
３・・・・・・・・・・・隅桁
４・・・・・・・・・・・中間桁
５・・・・・・・・・・・中央桁
【図１】
2004175420.tif 000003
【図２】
2004175420.tif 000004
【図３】
2004175420.tif 000005
【図４】
2004175420.tif 000006
【図５】
2004175420.tif 000007
【図６】
2004175420.tif 000008
【図７】
2004175420.tif 000009
【図８】
2004175420.tif 000010